(57)【要約】【課題】簡単な構成によって、テーブル本体部の剛性を向上させることで、使い勝手を一層向上する。【解決手段】折り畳みテーブル１０は、シートＳに折り畳み可能に取り付けられるテーブル本体部１２を備える。テーブル本体部１２の裏面又は内部には、テーブル本体部１２の外周に沿ってワイヤフレーム４６が設けられる。ワイヤフレーム４６は、外力を受けやすいテーブル本体部１２の外周に存在することで、外力による外周側の変形や破損等を抑制すると共に、テーブル本体部１２の内側部分を充分に軽量化することができる。【選択図】図１
2019081543.tif 000002
【特許請求の範囲】
【請求項１】
取付対象に折り畳み可能に取り付けられるテーブル本体部を備えた折り畳みテーブルであって、
前記テーブル本体部は、軸支部を介して前記取付対象に折り畳み可能に取り付けられ、
前記軸支部は、軸受孔を有し、
前記テーブル本体部の裏面又は内部には、前記テーブル本体部の外周に沿って断面円形状のワイヤフレームが設けられ、
前記ワイヤフレームは、前記テーブル本体部の前辺において前記軸受孔に挿入されることで、前記軸支部に回動自在に支持され、且つ前記テーブル本体部の側辺から前記前辺に連続して延在している
ことを特徴とする折り畳みテーブル。
【請求項２】
請求項１記載の折り畳みテーブルにおいて、
前記ワイヤフレームは、前記側辺から前記テーブル本体部の後辺に連続して延在する
ことを特徴とする折り畳みテーブル。
【請求項３】
請求項１又は２記載の折り畳みテーブルにおいて、
前記ワイヤフレームは、前記テーブル本体部とは別の部材から構成され、
前記折り畳みテーブルは、前記ワイヤフレームの側面に当接する位置決め凸部を備える
ことを特徴とする折り畳みテーブル。
【請求項４】
請求項３記載の折り畳みテーブルにおいて、
前記位置決め凸部は、前記ワイヤフレームの延在方向の異なる位置で前記ワイヤフレームの外側と内側に当接する
ことを特徴とする折り畳みテーブル。
【請求項５】
請求項１〜４のいずれか１項に記載の折り畳みテーブルにおいて、
前記ワイヤフレームは、前記テーブル本体部とは別の部材から構成され、
前記テーブル本体部は、前記ワイヤフレームの組み付け時に該ワイヤフレームを受けて変形する変形部を備える
ことを特徴とする折り畳みテーブル。
【請求項６】
請求項５記載の折り畳みテーブルにおいて、
前記変形部は、前記テーブル本体部に一体成形されたリブである
ことを特徴とする折り畳みテーブル。
【請求項７】
請求項１〜６のいずれか１項に記載の折り畳みテーブルにおいて、
前記ワイヤフレームは、前記テーブル本体部とは別の部材から構成され、
前記テーブル本体部には、前記ワイヤフレームを押さえる押さえ部材が設けられる
ことを特徴とする折り畳みテーブル。
【請求項８】
請求項７記載の折り畳みテーブルにおいて、
前記押さえ部材は、前記テーブル本体部に設けられた位置決め突起に取り付けられる
ことを特徴とする折り畳みテーブル。
【請求項９】
請求項７又は８記載の折り畳みテーブルにおいて、
前記押さえ部材の前記ワイヤフレームに対向する面部は、前記ワイヤフレームの形状に沿って形成される
ことを特徴とする折り畳みテーブル。
【発明の詳細な説明】
【技術分野】
【０００１】
本発明は、取付対象に折り畳み可能に取り付けられる折り畳みテーブルに関する。
【背景技術】
【０００２】
折り畳みテーブルは、例えば、車両のシートに取り付けられて、車両の搭乗者が持ち込む物品（飲み物等を含む）を載置又は保持する。例えば、特許文献１には、シートの後側でタブレット端末を載置可能な座席用テーブル（折り畳みテーブル）が開示されている。
【０００３】
特許文献１に開示の折り畳みテーブルは、シートに固定されるベゼルと、このベゼルに回動可能に取り付けられるテーブルとを備える。テーブルは、下枠、上枠及び天板の各部材を積層して組み立てられ、テーブルの側部に設けられたギアーと、ベゼルの回転ダンパーとの噛み合いにより、ベゼル側に近接した収納状態と、ベゼルから離れて水平に展開した状態とに移行する。
【先行技術文献】
【特許文献】
【０００４】
【特許文献１】特開２０１２−１８３８５６号公報
【発明の概要】
【発明が解決しようとする課題】
【０００５】
ところで、特許文献１に開示されているような折り畳みテーブルは、使い勝手の向上のため、可及的に軽量化された構造であることが好ましい。しかしながら、軽量化を図ることで、折り畳みテーブルは、剛性が低くなって変形や破損が起こり易くなる（耐久性が低下する）という別の不都合が生じる。特に、この種の折り畳みテーブルは、テーブルの開閉回数が多い、搭乗者等が強く接触する又は重量物が載置される等の負荷（外力）のかかる機会が多く想定され、剛性を充分に向上することが望まれている。
【０００６】
本発明は、上記の折り畳みテーブルの技術に関連してなされたものであって、簡単な構成によって、テーブル本体部の剛性を向上させることで、使い勝手を一層向上することができる折り畳みテーブルを提供することを目的とする。
【課題を解決するための手段】
【０００７】
前記の目的を達成するために、本発明は、取付対象に折り畳み可能に取り付けられるテーブル本体部を備えた折り畳みテーブルであって、前記テーブル本体部は、軸支部を介して前記取付対象に折り畳み可能に取り付けられ、前記軸支部は、軸受孔を有し、前記テーブル本体部の裏面又は内部には、前記テーブル本体部の外周に沿って断面円形状のワイヤフレームが設けられ、前記ワイヤフレームは、前記テーブル本体部の前辺において前記軸受孔に挿入されることで、前記軸支部に回動自在に支持され、且つ前記テーブル本体部の側辺から前記前辺に連続して延在していることを特徴とする。
【０００８】
上記によれば、折り畳みテーブルは、テーブル本体部の外周に沿って設けられたワイヤフレームにより、テーブル本体部の剛性が向上する。特に、ワイヤフレームは、外力を受けやすいテーブル本体部の外周に存在することで、外力による外周側の変形や破損等を抑制すると共に、テーブル本体部の内側部分を充分に軽量化することができる。折り畳みテーブルは、軽量化により、操作性が良くなり使い勝手が一層向上する。さらに、折り畳みテーブルは、ワイヤフレームがテーブル本体部の裏面又は内部に設けられるので、テーブル本体部の展開時に意匠面となる表面を自由に設計することができ、テーブル本体部をより使い易いものとすることができる。またさらに、ワイヤフレームは、テーブル本体部の剛性を大きく向上させる。特に、ワイヤフレームをテーブル本体部よりも硬い材質のもので構成すれば、折り畳みテーブルの小型化や軽量化をより促進することができる。そして、軸支部に回転自在に支持されたワイヤフレームは、テーブル本体部の回転軸として機能する。そのため、折り畳みテーブルは、回転軸を構成する部品を別途設ける必要がなくなり、部品点数の削減と共に、組立作業の作業性を向上することができる。
【０００９】
また、テーブル本体部の側辺にワイヤフレームを設けることにより、テーブル本体部は、取付対象側からの延出を支持する部分の剛性が向上する。このため、テーブル本体部は、その面方向と直交する方向からかかる負荷に充分に耐えることができる。
【００１０】
上記の構成に加えて、前記ワイヤフレームは、前記側辺から前記テーブル本体部の後辺に連続して延在しているとよい。
【００１１】
このように、ワイヤフレームは、側辺から後辺に連続して延在することで、テーブル本体部の剛性を一層向上することができる。
【００１２】
ここで、前記ワイヤフレームは、前記テーブル本体部とは別の部材から構成され、前記折り畳みテーブルは、前記ワイヤフレームの側面に当接する位置決め凸部を備える構成とすることができる。
【００１３】
このように、折り畳みテーブルは、位置決め凸部を備えることにより、別部材として構成されたワイヤフレームを容易に位置決めすることができ、組立作業の作業性を一層向上させることができる。
【００１４】
また、前記位置決め凸部は、前記ワイヤフレームの延在方向の異なる位置で前記ワイヤフレームの外側と内側に当接するとよい。
【００１５】
このように、位置決め凸部は、ワイヤフレームの外側と内側で当接することにより、ワイヤフレームを挟んで位置ずれを抑制して、組立作業の作業性をより一層向上させることができる。
【００１６】
さらに、前記ワイヤフレームは、前記テーブル本体部とは別の部材から構成され、前記テーブル本体部は、前記ワイヤフレームの組み付け時に該ワイヤフレームを受けて変形する変形部を備えていてもよい。
【００１７】
これにより、ワイヤフレームの組み付け時には、変形部に対しワイヤフレームを押し付けることで、ワイヤフレームの形状に合うように変形部を変形させることができ、振動等によるテーブル本体部とワイヤフレームとの位置ずれを抑制することができる。
【００１８】
この場合、前記変形部は、前記テーブル本体部に一体成形されたリブであるとよい。
【００１９】
このように、変形部がリブであると、折り畳みテーブルの部品点数が少なくなり、さらに作業性を向上することができる。
【００２０】
またさらに、前記ワイヤフレームは、前記テーブル本体部とは別の部材から構成され、前記テーブル本体部には、前記ワイヤフレームを押さえる押さえ部材が設けられてもよい。
【００２１】
このように、折り畳みテーブルは、ワイヤフレームを押さえる押さえ部材をテーブル本体部に備えることで、ワイヤフレームの位置ずれを一層抑制することができる。
【００２２】
上記の構成に加えて、前記押さえ部材は、前記テーブル本体部に設けられた位置決め突起に取り付けられるとよい。
【００２３】
これにより、折り畳みテーブルは、押さえ部材の位置決めが容易となり、組立作業の作業性を向上することができる。
【００２４】
さらにまた、前記押さえ部材の前記ワイヤフレームに対向する面部は、前記ワイヤフレームの形状に沿って形成されることが好ましい。
【００２５】
このように、押さえ部材の面部がワイヤフレームの形状に沿って形成されることで、押さえ部材を小型化することができる。
【発明の効果】
【００２６】
本発明によれば、折り畳みテーブルは、簡単な構成によって、剛性を向上させることで、使い勝手を一層向上することができる。
【図面の簡単な説明】
【００２７】
【図１】本発明の一実施形態に係る折り畳みテーブルのシート取付状態を示す斜視図である。
【図２】図１の折り畳みテーブルの側面図である。
【図３】図１の折り畳みテーブルの表面側を示す平面図である。
【図４】図１の折り畳みテーブルの裏面側を示す平面図である。
【図５】図１の折り畳みテーブルのテーブル本体部の裏面側を示す平面図である。
【図６】図４の折り畳みテーブルのカバーを取り外した状態の裏面側を示す平面図である。
【図７】図６の折り畳みテーブルの前辺且つ右側の角部を拡大して示す拡大説明図である。
【図８】図１の折り畳みテーブルのカバーを示す斜視図である。
【図９】図４の折り畳みテーブルのテーブル本体部とカバーの組立状態を拡大して示す部分断面図である。
【図１０】図１の折り畳みテーブルのカップホルダを示す斜視図である。
【図１１】図１０のカップホルダとテーブル本体部の組付状態を示す斜視図である。
【図１２】図２の折り畳みテーブルを斜め下方向から見た斜視図である。
【図１３】図１２のシート側取付部材の後側を示す斜視図である。
【図１４】図１２のシート側取付部材の前側を示す斜視図である。
【発明を実施するための形態】
【００２８】
以下、本発明に係る折り畳みテーブルについて好適な実施形態を挙げ、添付の図面を参照して詳細に説明する。
【００２９】
本実施形態に係る折り畳みテーブルは、例えば、車両用インテリアとして適用され、取付対象であるシートに設置される。具体的には図１に示すように、折り畳みテーブル１０は、後部座席の手前にあるシートＳ（前部座席）の背面に折り畳み可能に取り付けられ、後部座席に乗り込む搭乗者（以下、ユーザともいう）が車内に持ち込む物品（携帯機器や飲み物等）を載置又は保持する。なお、折り畳みテーブル１０の取付対象は、車内のシートＳに限定されず、運輸機器（鉄道、船舶、航空機等）の座席の手前や施設（劇場、スタジアム、待合い場所等）の座席の手前のように、ユーザが長い時間待機する箇所に設置するとよい。
【００３０】
図２に示すように、折り畳みテーブル１０は、シートＳに対して回動自在なテーブル本体部１２を備える。すなわち、本明細書における「折り畳み」とは、取付対象に対するテーブル本体部１２の回動により成すものである。折り畳みテーブル１０の未使用時には、図２中の２点鎖線で示すように、テーブル本体部１２がシートＳの背面に沿うように配置され、収納状態（折り畳み状態）となる。折り畳みテーブル１０の使用時には、図２中の実線で示すように、テーブル本体部１２がシートＳの背面から離れて略水平の展開状態となる。物品は、展開状態のテーブル本体部１２に載置又は保持される。
【００３１】
このような折り畳みテーブル１０は、多くの使用機会が見込まれ、ユーザが操作し易く、充分な耐久性があり、また持ち込み物を安定的に支持し得る構造であることが重要となる。このため、本実施形態に係る折り畳みテーブル１０は、テーブル本体部１２の他に、カバー１４、カップホルダ１６及び折り畳み機構部１８を備える。以下、本折り畳みテーブル１０の各構成について具体的に説明していく。
【００３２】
なお、以降の説明では、特に指示のない限り、図１の矢印の図示に応じて、展開状態の折り畳みテーブル１０を基準に各構成の位置や方向等を記述する。すなわち、図１中において、折り畳みテーブル１０が設けられているシートＳ側を前側（前方向）といい、シートＳと反対位置でユーザが座る側を後側（後方向）という。また、図１中において、斜め右方を右側（右方向）、その反対の斜め左方を左側（左方向）、上方を上側（上方向）又は下方を下側（下方向）という。
【００３３】
折り畳みテーブル１０は、基本的に、テーブル本体部１２の左右方向中心部を中心線として、左右対称に形成されている。テーブル本体部１２は、平板状に形成され、図３に示す平面視で、左右方向に長い辺（前辺２０、後辺２２）を有し、前後方向に短い側辺２４を有する長方形状を呈している。テーブル本体部１２の左右幅は、シートＳの左右幅に応じて適宜設計されればよい。或いは、テーブル本体部１２は左右幅より前後幅が長くてもよい。
【００３４】
テーブル本体部１２の各辺２０、２２、２４同士が交わる角部は、曲率半径が大きい丸角に形成される。また、テーブル本体部１２の前辺２０は、シートＳへの取付部分及び回動部分を構成するため、側辺２４及び後辺２２の幅に比べて前後幅が幅広に形成される。さらに、前辺２０は、側辺２４の前寄りで前方向且つ斜め内側に傾斜する傾斜辺２６に連なることで、左右幅が後辺２２より多少幅狭に形成されている。
【００３５】
このテーブル本体部１２を構成する材料は、特に限定されるものではないが、ユーザの操作性向上のため軽量なものを選択することが望ましい。この場合、例えば、ポリプロピレン、ＡＢＳ樹脂、アクリル樹脂、ポリアミド、ポリアセタール、ポリカーボネート、ポリエチレンテレフタレート等の合成樹脂材料を適用するとよい。
【００３６】
テーブル本体部１２の内側は、薄い板厚の板状壁部２８となっている。テーブル本体部１２の外周（前辺２０、側辺２４、後辺２２）は、板状壁部２８に連なって板状壁部２８よりも上方向に若干突出する囲み部３０と、囲み部３０の外縁から下方向に屈曲し囲み部３０の突出量よりも大きな突出量で突出する外周壁３２とで構成される（図９も参照）。この外周壁３２がテーブル本体部１２の略全周にわたって形成されることで、テーブル本体部１２は、外周壁３２の内側且つ裏面側部分を概ね中空状としている。これによりテーブル本体部１２の軽量化が図られる。
【００３７】
テーブル本体部１２の板状壁部２８は、表面における前後方向の前部側及び中間部側を平坦状に形成している。そして、板状壁部２８の左右両側には、一対のカップ用穴部３４が設けられている。各カップ用穴部３４は、ユーザにより物品（特に飲み物容器）が挿入され、カップホルダ１６と協働してこの物品を保持する。すなわち、このテーブル本体部１２は、複数のユーザが後部座席に搭乗することが勘案されて、２つの飲み物を保持可能としている。なお、カップホルダ１６及びカップ用穴部３４は、テーブル本体部１２に１つ又は３以上設けられてもよいことは勿論である。各カップ用穴部３４は、例えば、一辺が７０〜９０ｍｍの長さの正方形状に形成される。これにより、各カップ用穴部３４は、種々の飲み物容器（５００ｍｌ前後のペットボトル、缶、カップ等）に対応可能な汎用性を有する。
【００３８】
各カップ用穴部３４の周縁部３４ａは、周囲で平坦状に形成されている板状壁部２８に対し下方向に僅かに窪んでいる。そのためカップ用穴部３４の周縁部３４ａ付近の剛性が高められる。また、周縁部３４ａは下方向に向かって穴を狭めるテーパ状に形成されており、持ち込み物の挿入を容易にする。さらに、各カップ用穴部３４の周縁部３４ａの前後左右の角部は丸角に形成されている。
【００３９】
板状壁部２８の後部側は、平坦状の前部側及び中間部側に対し後方向に向かって下側に緩やかに傾斜した傾斜窪み部３６に形成される。一方、囲み部３０は、板状壁部２８の前部側、中間部側及び傾斜窪み部３６を枠状に囲って突出し、板状壁部２８に置かれた物品を落とし難くする。特に、板状壁部２８の傾斜窪み部３６及び後辺２２は、後部側に置かれた物品を引っ掛けて、テーブル本体部１２の後側からの落下を抑制する。
【００４０】
前辺２０の左右両側寄りには、カップ用穴部３４の一辺よりも小幅且つ所定の奥行きを有する装着用凹部３８が一対設けられている。一対の装着用凹部３８には、テーブル本体部１２をシートＳに回動自在に支持する軸支部材４０（軸支部）が各々配置される。
【００４１】
図２〜図４に示すように、一対の軸支部材４０は、テーブル本体部１２の装着用凹部３８内に挿入される軸支基部４２と、この軸支基部４２の下側に連なって突出しシートＳに締結される突出固定部４４とを有する。軸支基部４２は、装着用凹部３８よりも僅かに小幅に形成され、その後側が円弧を描くように突出形成される。この軸支基部４２の内部には、左右方向に延びる軸受孔４２ａ（図４参照）が設けられている。軸受孔４２ａは、軸支基部４２の両側面を貫通し、後述するワイヤフレーム４６が挿入される。軸支基部４２と装着用凹部３８の隙間には、摩擦力が大きいワッシャ（図示せず）が配置されるとよい。
【００４２】
突出固定部４４は、軸支基部４２よりも薄く形成されると共に、軸支基部４２に滑らかに連なっている。突出固定部４４の上下左右方向中心部には、図示しない締結ボルトが挿入される締結用孔部４４ａが形成される。このように構成された軸支部材４０は、締結用孔部４４ａに挿入された締結ボルトによりシートＳに強固に固定され、軸支基部４２においてワイヤフレーム４６を介してテーブル本体部１２を軸支する。
【００４３】
図４に示すように、テーブル本体部１２の裏面（下面）には、剛性を向上するために、ワイヤフレーム４６及びカバー１４が設けられる。このため、テーブル本体部１２の背面には、図５に示すように、ワイヤフレーム４６を支持するリブ４８と、カバー１４を取り付けるためのボス部５０（位置決め凸部）とが一体成形されている。リブ４８は、テーブル本体部１２の囲み部３０に重なる位置に（すなわち、外周に沿って）複数設けられ、板状壁部２８と外周壁３２の間で囲み部３０により谷状となった箇所を横切るように形成される。このリブ４８は、囲み部３０の内側と外周壁３２の内側に直交して連なることにより、囲み部３０及び外周壁３２を補強する。
【００４４】
また、リブ４８は、外周壁３２及びボス部５０よりも低い突出量で、テーブル本体部１２の裏面から下方向に突出し、その突出端部４８ａがワイヤフレーム４６に接触する。そして、このリブ４８は、折り畳みテーブル１０の組立時に、ワイヤフレーム４６が押し付けられることで変形して、ワイヤフレーム４６を配置する変形部となっている。このようにワイヤフレーム４６の押込みに伴いリブ４８を変形させることで、リブ４８がワイヤフレーム４６の形状に合うようになりワイヤフレーム４６の位置ずれを良好に防ぐことができる。なお、リブ４８の突出端部４８ａは、ワイヤフレーム４６の配置部分を未配置部分よりも低くなる形状に元々形成しておいてもよい（図９参照）。これによりワイヤフレーム４６の配置が一層容易となる。
【００４５】
一方、ボス部５０は、テーブル本体部１２の外周壁３２に沿って複数（本実施形態では１２個）設けられる。この場合、折り畳みテーブル１０の左右対称に対応して、テーブル本体部１２の左右方向中心部を基準に、６個のボス部５０が左右対称位置に配置される。具体的には、前辺２０近くで装着用凹部３８を挟む第１、第２ボス部５０Ａ、５０Ｂと、側辺２４近くで若干前寄りに位置する第３ボス部５０Ｃと、側辺２４と後辺２２の角部近くの第４ボス部５０Ｄと、後辺２２に沿う第５、第６ボス部５０Ｅ、５０Ｆとを含む。第１、第２ボス部５０Ａ、５０Ｂは幅広な前辺２０に設けられる一方、第３〜第６ボス部５０Ｃ〜５０Ｆは、囲み部３０に隣接した板状壁部２８に設けられる。また、第２ボス部５０Ｂは、カバー１４の締結と共に、後述する押さえ部材７４を位置決めする位置決め突起となっている。さらに、第６ボス部５０Ｆは、カバー１４の締結に伴い折り畳み機構部１８を一体的に締結する（共締めする）構成となっている。
【００４６】
第１〜第６ボス部５０Ａ〜５０Ｆは、中心部に雌ネジ孔５２ａを有する円筒部５２と、円筒部５２の外周面から円筒部５２の径方向外側に放射状に突出する複数のボス用支持リブ５４とにより構成される。円筒部５２の雌ネジ孔５２ａには、折り畳みテーブル１０の組立状態で、カバー１４を通して締結ネジ５６（図４参照）がねじ込まれる。ボス用支持リブ５４は、板状壁部２８又は囲み部３０に連なることで円筒部５２の直立姿勢を補強する。
【００４７】
また、テーブル本体部１２の前辺２０で装着用凹部３８を構成する部分は、外周壁３２に連なると共に、この外周壁３２を屈曲して後方向に突出する一対の支持壁５８となっている。一対の支持壁５８は支持壁用リブ６０により直立状態が補強されている。そして、一対の支持壁５８には、ワイヤフレーム４６を挿通及び支持する支持溝５８ａが切り欠かれている。
【００４８】
さらに、一対の支持壁５８よりも後側には、カップホルダ１６を回動可能に軸支する一対の軸支片６２（軸支部）が突出形成されている。一対の軸支片６２は、左右方向に充分な厚みを有する板状に形成され、その中央部には軸支孔６２ａが厚み方向に沿って設けられている。各軸支片６２は、該軸支片６２と板状壁部２８に連なる軸支片用リブ６４により直立状態が補強されている。また、一対の軸支片６２の間且つ前側には、カップホルダ１６が接触する当接用リブ６６が形成されている。当接用リブ６６は、軸支片６２に比べて低く形成され、左右方向に延在する線分当接部６６ａと、線分当接部６６ａの左右両端で前側に設けられる十字状を呈する十字当接部６６ｂとにより構成される。
【００４９】
またさらに、一対のカップ用穴部３４の内側位置には、カバー１４を組み付ける際に、カバー１４を位置決め及び仮留めする一対の被取付部６８が設けられている。被取付部６８は、後述するカバー１４のフック部１２２と共に相互を固定する固定機構６７を構成している。被取付部６８は、図１１に示すように直方形状を呈し、内側部分を開口させた３方の壁と、各壁の突出端部に連なる係合壁６９とにより構成される。これにより被取付部６８は、充分な強度を有して板状壁部２８に連なる。被取付部６８の係合壁６９には、被係止口６９ａが形成されており、この被係止口６９ａにはカバー１４のフック部１２２が係止される。
【００５０】
さらにまた、板状壁部２８は、一対の被取付部６８の内側に、折り畳み機構部１８をねじ止めするための一対の機構用ネジ止め部７０と、折り畳み機構部１８を取り付ける際の位置決め部として働く突起７２とを有する。機構用ネジ止め部７０はボス部５０と同様の形状に形成される。なお、図示は省略するものの、板状壁部２８には、板状壁部２８の剛性を高めるため、前後方向や左右方向にわたって線状に延びる補強用リブが複数並設されてもよい。
【００５１】
上記のテーブル本体部１２の裏面側には、図６に示すように、組立に伴いワイヤフレーム４６（補強部）が配置される。ワイヤフレーム４６は、軸方向断面視で円形状の棒状部材であり、テーブル本体部１２の外周に沿って１本で連続するように設けられる。すなわち、ワイヤフレーム４６は、テーブル本体部１２の面方向に対応して、周回部が同一平面状に形成される。
【００５２】
ワイヤフレーム４６は、テーブル本体部１２を充分に補強し得るように、構成材料によって中実状に形成されると共に、充分な太さを有し簡単に塑性変形しない構成であることが好ましい。ワイヤフレーム４６の構成材料は、特に限定されるものではないが、硬質性を有する金属材料を適用するとよい。例えば、金属材料としては、鉄、鉄合金、合金鋼、銅、銅合金、アルミニウム、アルミニウム合金、ニッケル合金、マグネシウム合金等が挙げられる。なお、ワイヤフレーム４６は、金属材料だけでなく樹脂材料により構成されてもよい。また、ワイヤフレーム４６は、中実状に限定されず、内部に空洞部を有する管状に形成されていてもよい。
【００５３】
このワイヤフレーム４６も、テーブル本体部１２に合わせて左右対称に形成される。具体的に、ワイヤフレーム４６は、後辺延在部４６ａ、後側傾斜部４６ｂ、側辺延在部４６ｃ、前側傾斜部４６ｄ及び前辺軸部４６ｅにより構成される。
【００５４】
後辺延在部４６ａは、組立状態で、テーブル本体部１２の後辺２２に位置し、この後辺２２に沿って直線状に長く延在する部位であり、左右両端部には後側傾斜部４６ｂが連なる。後側傾斜部４６ｂは、後辺延在部４６ａから所定角度屈曲して短く延びる部位であり、後辺延在部４６ａの連結端部と反対側の端部には側辺延在部４６ｃが連なる。側辺延在部４６ｃは、テーブル本体部１２の側辺２４に位置し、この側辺２４に沿って直線状に延在する部位であり、後辺延在部４６ａに対して直交する方向に傾いている。この側辺延在部４６ｃの後側傾斜部４６ｂの連結端と反対側の端部には前側傾斜部４６ｄが連なる。前側傾斜部４６ｄは、側辺延在部４６ｃから所定角度屈曲して短く延びる部位であり、側辺延在部４６ｃの連結端の反対側の端部には前辺軸部４６ｅが連なる。前辺軸部４６ｅは、テーブル本体部１２の前辺２０に位置し、この前辺２０に沿って短く延びる部位であり、側辺延在部４６ｃに対して直交する方向に傾いている。
【００５５】
前辺軸部４６ｅは、テーブル本体部１２の一対の支持壁５８の支持溝５８ａを通って、両支持壁５８を架橋するように配置される。換言すれば、ワイヤフレーム４６は、装着用凹部３８内でテーブル本体部１２の回動用の軸部を構成する。折り畳みテーブル１０は、組立時に、軸支部材４０の軸受孔４２ａに前辺軸部４６ｅを挿通することで、軸支部材４０がワイヤフレーム４６を回動自在とする。そして、ワイヤフレーム４６を一対の支持壁５８の支持溝５８ａに配置し、軸支部材４０を装着用凹部３８に配置した状態でカバー１４を被せることにより、軸支部材４０がテーブル本体部１２を回動可能に支持する。
【００５６】
また、ワイヤフレーム４６をテーブル本体部１２に配置する際には、第２〜第６ボス部５０Ｂ〜５０Ｆによりワイヤフレーム４６を位置決めすることが可能である。詳細には、第２ボス部５０Ｂの内側に前側傾斜部４６ｄが位置し、第３ボス部５０Ｃの外側に前側傾斜部４６ｄ及び側辺延在部４６ｃの連結部分が位置するように配置される。さらに、第４ボス部５０Ｄの内側に後側傾斜部４６ｂが位置し、第５及び第６ボス部５０Ｅ、５０Ｆの外側に後辺延在部４６ａが位置するように配置される。つまり、第２〜第６ボス部５０Ｂ〜５０Ｆは、ワイヤフレーム４６の延在方向側面の内側と外側を挟むように設けられ、ワイヤフレーム４６がテーブル本体部１２の面方向に位置ずれすることを強固に抑止する。これによりワイヤフレーム４６は、外周壁３２に直接接触しない構成となる。
【００５７】
テーブル本体部１２のリブ４８は、組立時におけるワイヤフレーム４６の押し込みに伴い、微量に変形しつつ突出端部４８ａにてワイヤフレーム４６を支持する。その結果、ワイヤフレーム４６は、囲み部３０（前辺２０、側辺２４、後辺２２）からも所定間隔離れて配置される。よって、ワイヤフレーム４６が板状壁部２８、囲み部３０及び外周壁３２に直接接触することがなく、ワイヤフレーム４６自体の振動による板状壁部２８、囲み部３０及び外周壁３２の破損を回避することができる。
【００５８】
また、テーブル本体部１２には、組立状態で、各傾斜辺２６の前辺２０寄り且つ各装着用凹部３８の外側に、一対の押さえ部材７４が取り付けられる。一対の押さえ部材７４は、軸心部が左右方向に向くように設けられ、ユーザにテーブル本体部１２の回動基点を認識させる（図２も参照）。この押さえ部材７４は、図７に示すように、円盤状の頭部７６と、頭部７６に連なり所定長さ突出する円柱部７８と、円柱部７８に連なりワイヤフレーム４６を実際に押さえる押さえ部８０とを含む。頭部７６及び円柱部７８の一部は、一対の傾斜辺２６の露出孔２６ａを介して外側に露出される。
【００５９】
押さえ部８０は、円柱部７８に連なると共に円柱部７８よりも大きな外形に形成された装着部８２と、装着部８２の一方面（下面）に連なり円柱部７８の軸心に沿って延びる平板突部８４とを有する。装着部８２には、上下方向に沿って装着孔８６が形成され、押さえ部材７４はこの装着孔８６を第２ボス部５０Ｂの円筒部５２に嵌め込むことでテーブル本体部１２に組み付けられる。
【００６０】
また、装着部８２は、円柱部７８の連結部分と反対側の端部側が略三角状に形成され、平面視で、２等辺を呈する一対の端面８２ａ（面部）を有する。一対の端面８２ａのうちの一方は、ワイヤフレーム４６の前辺軸部４６ｅに対する前側傾斜部４６ｄの傾斜角度に沿うように、例えば押さえ部材７４の軸心に対し３０°〜６０°の範囲で傾いて形成される。これにより端面８２ａがワイヤフレーム４６の前側傾斜部４６ｄに対向し、ワイヤフレーム４６が振動した際には、この端面８２ａにおいてワイヤフレーム４６を受けることができる。
【００６１】
平板突部８４は、端面８２ａよりも大きく突出して支持壁５８に近接する位置に至る。平板突部８４は、テーブル本体部１２との間に空間部を形成し、この空間部にワイヤフレーム４６を配置する。この平板突部８４は、ワイヤフレーム４６の外周面に接触してワイヤフレーム４６をテーブル本体部１２側に押さえつけることで、ワイヤフレーム４６の上下方向の振動を抑制する。
【００６２】
すなわち、押さえ部材７４は、ワイヤフレーム４６の前辺軸部４６ｅ付近において、ワイヤフレーム４６の動きを押さえる。これにより、折り畳みテーブル１０の回動軸として機能するワイヤフレーム４６に対し、テーブル本体部１２を安定的に回動させることができる。
【００６３】
なお、テーブル本体部１２を補強する補強部は、上記のワイヤフレーム４６の構成に限定されるものではない。例えば、ワイヤフレームは、プレート状（軸方向断面視で四角形状又は多角形状）に形成されたものを適用してよい。また、テーブル本体部１２の射出成形時に、ワイヤフレーム４６を予め配置して射出成形（インサート成形）を行い、テーブル本体部１２とワイヤフレーム４６を一体成形した構成でもよい。インサート成形では、ワイヤフレーム４６を適用せずに、テーブル本体部１２の構成材料と異なる材料（例えば硬質性が高い材料）からなるもので一体成形を行って補強部を構成してもよい。さらに、補強部は、例えば、前辺２０、側辺２４、後辺２２等に対応するように分離して、部分毎に補強する構成でもよい。
【００６４】
図４に戻り、テーブル本体部１２に取り付けられるカバー１４は、テーブル本体部１２の裏面側を部分的に覆う構成となっている。このカバー１４は、平坦状に形成された底部８８と、底部８８の側縁に連なり底部８８から湾曲しつつ上方向に突出した湾曲壁部９０とを含む浅底の椀状に形成される。カバー１４の構成材料としては、テーブル本体部１２の構成材料で挙げたものを良好に適用し得る。
【００６５】
湾曲壁部９０の外周側の突出高さは、内側に比べて低く設定され、図８に示すように、この湾曲壁部９０の上端部には嵌込壁９２が形成される。嵌込壁９２は、湾曲壁部９０に対し外周側が切削されて薄肉の板状を呈し、湾曲壁部９０の延在方向に沿って連続する。また、嵌込壁９２は、図９に示すように、その断面形状が、湾曲壁部９０に連なる基部側の肉厚が厚い一方、突出端部側の肉厚が薄い三角形状に形成され、外周面側がテーパ面となっている。この嵌込壁９２は、折り畳みテーブル１０の組立状態で、テーブル本体部１２の外周壁３２の内側に挿入される。
【００６６】
ここで、テーブル本体部１２は、複数のリブ４８と外周壁３２の接触部及びその近傍部を切り欠かくことで、嵌込溝９４（隙間）を有している。この嵌込溝９４には、テーブル本体部１２とカバー１４の嵌め込みに伴い、カバー１４の嵌込壁９２が挿入される。これにより、折り畳みテーブル１０は、テーブル本体部１２とカバー１４の面方向の位置ずれが抑止されて、外周壁３２と湾曲壁部９０が良好に接触支持し合う。
【００６７】
また、図８に示すように、カバー１４にも、底部８８の上方向に突出するカバー用リブ９６が複数設けられている。各カバー用リブ９６は、底部８８を挟んで連なる一対の湾曲壁部９０の間を延在するようにカバー１４に一体成形される。カバー用リブ９６の突出高さは、テーブル本体部１２のリブ４８と同様に、ワイヤフレーム４６の配置部分と未配置部分とで、突出端部の高さが変わるように形成される。これにより、テーブル本体部１２と協働してワイヤフレーム４６を容易に配置することができる。
【００６８】
カバー１４は、平面視で、テーブル本体部１２の後辺２２に沿って延在する後側被覆部１００と、後側被覆部１００から前方向に延びてカップ用穴部３４の周辺を覆う一対の部分被覆部１０２とを含む。後側被覆部１００は、テーブル本体部１２の後辺２２、及び後辺２２と側辺２４の角部と同形状に形成され、テーブル本体部１２の後辺２２側に配置されるワイヤフレーム４６を被覆する。この後側被覆部１００（底部８８）の所定位置には、各一対の第４〜第６ボス部５０Ｄ〜５０Ｆに対応する複数（合計６つ）のネジ用孔部１０４が形成されている。カバー１４の裏面側でネジ用孔部１０４の周辺部には、底部８８の他の部分よりも内部側（上方向）に突出した座１０６が形成されている。この座１０６には折り畳みテーブル１０の組立状態で締結ネジ５６の頭部が配置される。
【００６９】
さらに、後側被覆部１００は、左右方向中間部で、折り畳み機構部１８の後部を覆う後側幅広被覆部１０８と、後側幅広被覆部１０８の両側に連なり後側幅広被覆部１０８よりも前後方向に短い幅に形成された一対の後側幅狭被覆部１１０とを含む。
【００７０】
後側幅広被覆部１０８は、該後側幅広被覆部１０８の前後方向略中間部に、左右方向の所定長さにわたって凸部１１２を有する。凸部１１２は、後側被覆部１００の剛性を高めると共に、折り畳みテーブル１０の収納状態で、シートＳ側に接触可能であり、カップホルダ１６にかかる衝撃を緩和する。なお、後側幅広被覆部１０８（特に凸部１１２）の上面側には、後述する折り畳み機構部１８の本体側取付部材１６０にカバー１４を位置決め及び仮留め可能な係止部（図示せず）を備えているとよい。
【００７１】
後側幅狭被覆部１１０は、後側幅広被覆部１０８の左右両側でカップホルダ１６の設置位置に対応して幅狭に形成されることで、その前方部にカップホルダ１６を収容可能な収容空間１１４を構成する。
【００７２】
一方、一対の部分被覆部１０２は、左右一対のカップ用穴部３４に応じて互いに対称形状に形成されている。各部分被覆部１０２は、カップホルダ１６を収容するために、カップホルダ１６の外側を迂回する側部被覆部１１６と、カップホルダ１６の内側を迂回する内側被覆部１１８とに分かれる。側部被覆部１１６と内側被覆部１１８の間に上記の収容空間１１４が形成される。
【００７３】
側部被覆部１１６は、後側被覆部１００からテーブル本体部１２の側辺２４に沿って延び、さらにテーブル本体部１２の前辺２０に至る。側部被覆部１１６の左右方向の幅は、ワイヤフレーム４６を覆う程度に比較的狭く形成される。側部被覆部１１６の前寄りの途中位置には、ネジ用孔部１０４が形成されている。側部被覆部１１６は、延出前部においてもう１つのネジ用孔部１０４を有すると共に、内側方向に向かって装着用凹部３８に対応する位置まで突出する前部被覆部１２０（被固定部）を備える。
【００７４】
内側被覆部１１８は、側部被覆部１１６よりも左右方向の幅が広く形成され、カップ用穴部３４の周辺部を通って前方向に向かう。この内側被覆部１１８の前後方向中間部には、上方向に突出するフック部１２２が設けられる。フック部１２２は、テーブル本体部１２の被係止口６９ａに対応する位置に形成され、被係止口６９ａの挿入状態で左右外側方向に向かって屈曲する爪部１２２ａが係合壁６９に引っ掛かる構成となっている。
【００７５】
また、内側被覆部１１８の延出前部には、外側方向に僅かに突出する前部被覆部１２０（被固定部）が設けられ、この前部被覆部１２０にネジ用孔部１０４が形成されている。さらに、内側被覆部１１８の前側付近の内縁、つまり前部被覆部１２０の反対側は、部分被覆部１０２を切り欠いた切り欠き部１２４となっている。一対の部分被覆部１０２は、一対の切り欠き部１２４によりカバー１４の前部側中央部を幅広な空間としている。
【００７６】
図４に示すように、折り畳みテーブル１０の組立状態では、一対のカップホルダ１６が一対の部分被覆部１０２の収容空間１１４に位置する状態となって、カバー１４がテーブル本体部１２に装着される。カバー１４の装着時には、内側被覆部１１８に設けられたフック部１２２が被取付部６８に挿入されて引っ掛かり、先にテーブル本体部１２にカバー１４を仮留めする。この仮留め状態では、カバー１４の各ネジ用孔部１０４と第１〜第６ボス部５０Ａ〜５０Ｆが上下方向に重なり、締結ネジ５６によるねじ止めを簡単に行うことができる。
【００７７】
カバー１４は、締結ネジ５６により第１〜第６ボス部５０Ａ〜５０Ｆにねじ止めされた状態で、テーブル本体部１２に強固に固定され、テーブル本体部１２の剛性を高める。特に、前部被覆部１２０によりテーブル本体部１２の前辺２０を固定する（ねじ止め）ことで、テーブル本体部１２の回動部分の剛性を高めることができる。また、部分被覆部１０２によりカップホルダ１６の周囲を覆うことで、物品から負荷がかかり易いカップホルダ１６周辺の剛性を重点的に高め、その他の部分を覆わないことで軽量化を促進する。さらに、後側被覆部１００及び側部被覆部１１６によりワイヤフレーム４６を覆うことによりワイヤフレーム４６を隠すので、折り畳みテーブル１０の美観が向上する。
【００７８】
次に、折り畳みテーブル１０のカップホルダ１６について説明する。カップホルダ１６は、図２に示すように、テーブル本体部１２に回動自在に取り付けられ、ユーザの操作により、収容状態と、物品の保持可能状態とに移行する。収容状態では、カップホルダ１６が全体的にテーブル本体部１２側に位置し、その大部分がカバー１４の収容空間１１４（図４参照）に配置される。なお、テーブル本体部１２のカップホルダ１６の回動遠位端が接触する位置には、カップホルダ１６の収容時の衝撃を和らげるスポンジ等の緩衝部材１２６が配置されるとよい（図４参照）。逆に、保持可能状態では、カップホルダ１６が上端部を基点に回動することで、回動遠位端がテーブル本体部１２から所定間隔離間する。
【００７９】
具体的に、カップホルダ１６は、図６及び図１０に示すように、略四角形状に形成されたホルダ本体部１３０と、このホルダ本体部１３０の一辺に連なって延びテーブル本体部１２に接続される延在部１３２とを含む。
【００８０】
ホルダ本体部１３０は、延在部１３２を回動基点として回動し、テーブル本体部１２の裏面に対し接触（近接）又は離間する。ホルダ本体部１３０は、このホルダ本体部１３０の外周縁を構成する外側枠部１３４と、外側枠部１３４の内側で平坦状に形成され物品の底部８８を接触支持する支持板部１３６とを含む。また、ホルダ本体部１３０の外側枠部１３４の内側に囲まれた部分且つ支持板部１３６の前方部には、略長方形状の空間部１３８が形成されている。
【００８１】
外側枠部１３４は、カップ用穴部３４の周縁に応じた形状に形成され、遠位側に位置する支持板部１３６を安定的に支持するために、部位に応じて適宜な厚みを有するように構成される。具体的には、支持板部１３６の外周縁に連なり低く突出する先端低壁部１４０と、先端低壁部１４０に連なり先端低壁部１４０よりも上下幅が大きい一対のアーム壁部１４２と、アーム壁部１４２に連なり延在部１３２に連結される連結壁部１４４とを有する。
【００８２】
先端低壁部１４０は、支持板部１３６に対し斜め上方向に広がるように突出し、その前側に支持板部１３６が連なる。この先端低壁部１４０がカップホルダ１６の回動遠位端に相当する。先端低壁部１４０は、斜めに形成されていることで、カップ用穴部３４に挿入される物品を支持板部１３６に誘導し、支持板部１３６からの位置ずれを抑制する。
【００８３】
一対のアーム壁部１４２は、支持板部１３６及び先端低壁部１４０に対して所定角度（例えば、１２０°〜１５０°）傾いて連なると共に、連結壁部１４４に向かって所定長さ延びている。これら一対のアーム壁部１４２の間に空間部１３８が形成される。空間部１３８は、物品の外形に関わらずカップホルダ１６に載置される物品を許容するために設けられる。一対のアーム壁部１４２の下部側には、弧状を描いて内側（空間部）に若干突出する支持補強部１４２ａが形成されている。
【００８４】
連結壁部１４４は、アーム壁部１４２の近位端に連なり左右方向に延在し、その上下幅は、アーム壁部１４２の上下幅よりも大きく設計されている。連結壁部１４４の空間部１３８を構成する周面は、空間部１３８に対して所定角度（例えば１２０°〜１５０°、すなわち支持板部１３６に対し略９０°）傾いている。連結壁部１４４の空間部１３８と反対側の周面には、延在部１３２の側壁１４８が連なる一方、連結壁部１４４の上縁部には延在部１３２の上壁１４６が連なる。
【００８５】
延在部１３２は、一対のアーム壁部１４２の延在方向に沿って直線状に延在し、その近位端側がテーブル本体部１２に回動自在に連結されることで、ホルダ本体部１３０を支持する。この延在部１３２は、平板状の上壁１４６と、上壁１４６の下面側に連なり下方向に所定高さ突出する側壁１４８とを有する。
【００８６】
上壁１４６は、その遠位端が連結壁部１４４の上縁部に応じて幅広に形成され、上方向に向かって徐々に幅狭となり、途中位置から同じ幅で上方向に延在している。上壁１４６の上端には、カップホルダ１６の保持可能状態（ホルダ本体部１３０がテーブル本体部１２から離れた状態）で、テーブル本体部１２の裏面に接触するストッパ部１５０が設けられている。
【００８７】
ストッパ部１５０は、上壁１４６に対して所定角度（例えば、２１０°〜２３０°、すなわち支持板部１３６と平行となるように）屈曲して連結されている。このストッパ部１５０の上面は平坦状に形成される。また図１１に示すように、ストッパ部１５０の下面には一対のホルダ側リブ１５２が設けられる。一対のホルダ側リブ１５２は、上壁１４６の裏面側に一体成形され、連結壁部１４４とストッパ部１５０の間を直線状に延びている。これにより、ホルダ側リブ１５２は、上壁１４６及びストッパ部１５０を補強して、上下方向の負荷に対する変形を抑制する。
【００８８】
図１０及び図１１に示すように、上壁１４６の上部寄りで左右方向中央部、つまり一対のホルダ側リブ１５２の間には、上壁１４６の内側への変位を促すスリット１５４（変形促進部）が切り欠かれている。スリット１５４は、所定（例えば、上壁１４６の幅に対して１／６〜１／９程度）の幅に設計され、ストッパ部１５０から後述するホルダ側凸部１５６の形成位置よりも下側位置まで形成される。
【００８９】
一方、一対の側壁１４８は、上壁１４６の上側の縁部から下方向に所定量で突出し、各側壁１４８の下側もこの上壁１４６の上側の左右幅で連結壁部１４４まで平行に延びて連結されている。各側壁１４８の上端寄りには、ホルダ側凸部１５６（回転支持部）が幅方向外側に突出形成されている。一対のホルダ側凸部１５６は、スリット１５４の半分の幅よりも短い寸法で側壁１４８から突出する。
【００９０】
カップホルダ１６は、組立時に、ホルダ側凸部１５６の周囲に摩擦力を向上するワッシャ（図示せず）が嵌められ、このホルダ側凸部１５６を一対の軸支孔６２ａに挿入することで、各軸支片６２に支持される。このワッシャにより、カップホルダ１６は、テーブル本体部１２に対し比較的強い摩擦力で支持される。従って、カップホルダ１６は、ユーザがカップホルダ１６を回動操作しない状態で、テーブル本体部１２との相対的な位置（姿勢）を維持する。また、カップホルダ１６は、回動により支持板部１３６がテーブル本体部１２の面方向に対して平行になった段階で、ストッパ部１５０がテーブル本体部１２の裏面側に接触して、それ以上の回動が規制される。
【００９１】
上述したように、テーブル本体部１２の裏面には、当接用リブ６６（線分当接部６６ａ及び十字当接部６６ｂ）が一体成形されている（図５も参照）。展開状態では、ストッパ部１５０が線分当接部６６ａに接触し、側壁１４８の上端部が十字当接部６６ｂに接触する。これによりカップホルダ１６の回動が、当接用リブ６６において規制される。
【００９２】
また、カップホルダ１６は、強い外力（回動操作、引っ張り、衝撃、或いはカップホルダ１６に重量物を載置する等の負荷）が加わった際に、スリット１５４により上端部が回転軸方向の内側に容易に撓む。これにより、ホルダ側凸部１５６が軸支片６２の軸支孔６２ａから抜けて、テーブル本体部１２からカップホルダ１６が比較的容易に外れる。
【００９３】
なお、カップホルダ１６を変形させる変形促進部は、スリット１５４に限定されるものではなく、上壁１４６に穴を設ける又は薄肉部を設ける等の種々の構成を適用することができる。特に、変形促進部（スリット１５４、穴、薄肉部等）は、カップホルダ１６の縁部に連なるように（開口等を有するように）設けられることが好ましい。これにより、カップホルダ１６の縁部から変形を促すことができスムーズな変形がなされる。
【００９４】
次に、折り畳みテーブル１０の折り畳み機構部１８について、図１２〜図１４を参照して説明する。折り畳み機構部１８は、テーブル本体部１２をシートＳに対し回動可能（収納状態と展開状態に移行可能）に支持する構造部となっている。この折り畳み機構部１８は、本体側取付部材１６０と、支持フレーム１６２と、シート側取付部材１６４（連結支持部）とを備える。
【００９５】
本体側取付部材１６０は、図６及び図１２に示すように、テーブル本体部１２の中間部及び後部側に取り付けられる平板状の部材であり、平面視で略四角形状を呈する。この本体側取付部材１６０は、板状壁部２８に直接面接触して固定される接触板部１６６と、この接触板部１６６から多少突出して所定間隔離間すると共に前後方向に延びる中央板部１６８並びに一対の側板部１７０とを含む。接触板部１６６、中央板部１６８、一対の側板部１７０の上下間には、支持フレーム１６２の外径と略一致する幅の隙間１７２が形成され、この隙間１７２に支持フレーム１６２が挿入される。
【００９６】
接触板部１６６は、テーブル本体部１２の左右方向中央部で、中間部及び後部に面接触することで、この部分の剛性を向上する。また、接触板部１６６の上面には、テーブル本体部１２の突起７２に重なる位置に、この突起７２を挿入可能な図示しない孔部が設けられる。
【００９７】
中央板部１６８と一対の側板部１７０は、平面視で、前後方向に長い長方形状に形成され、隙間もこれら中央板部１６８と各側板部１７０の長手方向の寸法に応じて前後方向に長く形成される。板状壁部２８の後側には、中央板部１６８及び側板部１７０よりも低く突出した位置決め板部１７４が連なる。この位置決め板部１７４は、左右方向に延び、左右方向両側の所定位置には、後方に向かって開口するＵ字溝１７４ａが一対設けられている。
【００９８】
一対の側板部１７０の前方側には、接触板部１６６から下方に突出し側板部１７０よりも若干低めの突出連結部１７６が設けられる。一対の側板部１７０は、前端部が突出連結部１７６の上面に連なり後端部が位置決め板部１７４に連なることで、接触板部１６６から隙間１７２分だけ離間して延在する。また、突出連結部１７６の突出面には、ネジ用孔部１７８及び座１７８ａが形成されている。本体側取付部材１６０は、テーブル本体部１２の取付時に、突起７２に孔部を嵌めつつ、Ｕ字溝１７４ａを第６ボス部５０Ｆに嵌めて位置決めする。これにより、ネジ用孔部１０４が板状壁部２８の機構用ネジ止め部７０に重なる。この状態で、カバー１４が被覆されると共に、締結ネジ５６が各ネジ用孔部１０４を通して第６ボス部５０Ｆと機構用ネジ止め部７０に締結されることで強固に固定される。
【００９９】
折り畳み機構部１８の支持フレーム１６２は、本体側取付部材１６０とシート側取付部材１６４の両方に挿入される一連の棒状部材であり、例えば、ワイヤフレーム４６の構成材料として挙げた金属材料を適用し得る。支持フレーム１６２は、ワイヤフレーム４６よりも小径に形成され、ユーザから強い操作力（テーブル本体部１２を回動する力）が加わった際に弾性変形する。
【０１００】
この支持フレーム１６２は、後部側で左右方向に延在する後側棒部１８０と、後側棒部１８０の両端に連なり前方に延びる一対の延出棒部１８２と、一対の延出棒部１８２の前部から屈曲して外側方向に多少突出する一対の前側棒部１８４とを含む。後側棒部１８０は、平面視で、左右方向中央部が前方に窪んだ中央凹部１８０ａと、中央凹部１８０ａの両側に連なる直線部１８０ｂとに形成される。そして、中央凹部１８０ａが本体側取付部材１６０の中央板部１６８の隙間１７２に挿入され、一対の直線部１８０ｂが一対の側板部１７０の隙間１７２に挿入される。これにより中央凹部１８０ａが中央板部１６８により回動不能に押さえられる一方で、前後方向に長い隙間１７２により中央凹部１８０ａ及び直線部１８０ｂが前後にスライド可能に保持される。折り畳みテーブル１０は、収納状態と展開状態で、支持フレーム１６２によるテーブル本体部１２の支持位置をスライドすることで、テーブル本体部１２の回動操作をスムーズに行うことができる。
【０１０１】
一対の延出棒部１８２は、後側棒部１８０と前側棒部１８４との間を直線状に延びることで、後側棒部１８０が取り付けられたテーブル本体部１２と、前側棒部１８４が取り付けられたシートＳとの間を連結支持する。一対の延出棒部１８２は、シート側取付部材１６４により、内側への弾性変形がガイドされる。また、一対の前側棒部１８４は、一対の延出棒部１８２から外側に突出することで、シート側取付部材１６４の収容溝１８６に挿入される（図１４参照）。
【０１０２】
シート側取付部材１６４は、図１２に示すように、軸支部材４０と共に、シートＳ内に設けられるシート構造物ＳＣに取り付けられる。この場合、軸支部材４０がテーブル本体部１２を、摩擦力をもって回動自在に支持するのに対し、シート側取付部材１６４は、テーブル本体部１２を段階的に回動させて、各段階での変位位置を維持する機能を有する。
【０１０３】
具体的には、シート側取付部材１６４は、シートＳに直接取り付けられる基部１８８と、基部１８８の左右方向両側に設けられ後側に突出する一対のカム部１９０（切換保持部）と、基部１８８の左右方向中央に設けられ後側に突出する膨出部１９２とを含む。
【０１０４】
基部１８８は、正面視で、左右方向に長い略長方形状に形成され、左右方向両側で円弧状と台形状が連なる端部を構成している。基部１８８は、外形を構成する基部枠部１９４と、基部枠部１９４の内側で後面が平坦状に形成された複数の内側壁部１９６（取付部）とを有する。
【０１０５】
複数の内側壁部１９６は、一対のカム部１９０の外側に各一対で形成される第１壁部１９６ａと、一対のカム部１９０の内側且つ膨出部１９２の両側に各一対で形成される第２壁部１９６ｂとを含む。各内側壁部１９６は、外側枠部１３４に対し若干窪むように形成され、締結ボルト（図示せず）が挿入される締結孔１９８がそれぞれ設けられている。カム部１９０と第２壁部１９６ｂの間には、支持フレーム１６２の回動を許容する許容空間２００が形成されている。
【０１０６】
カム部１９０は、図１３に示すように、内側壁部１９６から１／４球形状に形成されたドーム部２０２と、ドーム部２０２から内側に円弧状を描いて突出するガイド部２０４とを有する。ドーム部２０２は、支持フレーム１６２を内側に挿入及び保持する機能を有する。図１４に示すように、ドーム部２０２の反対側には、支持フレーム１６２の前側棒部１８４を収容可能な収容溝１８６が形成されている。収容溝１８６の周囲には、収容溝１８６を構成する壁部を補強する補強リブ１８６ａが設けられている。また、ドーム部２０２の下部側には、内側壁部１９６から突出してカム部１９０と外側枠部１３４を連ねる突条部２０６が形成され、カム部１９０を補強している。
【０１０７】
ガイド部２０４は、ドーム部２０２から突出することで、ユーザの操作により支持フレーム１６２が上下に移動する際に、内縁２０４ａの円弧状に沿って一対の延出棒部１８２が弾性変形するようにガイドする。この際、許容空間２００は、支持フレーム１６２の上下の変位と内側への弾性変形を許容する。
【０１０８】
また、ガイド部２０４は、カム部１９０の上下位置で、該カム部１９０の円弧状の両端部と基部枠部１９４との間に支持フレーム１６２を嵌めて姿勢を固定する。カム部１９０が支持フレーム１６２を上側で固定した状態では、支持フレーム１６２が略水平方向に延びる姿勢となり、折り畳み機構部１８はテーブル本体部１２を展開状態として良好に支持する。逆に、カム部１９０が支持フレーム１６２を下側で固定した状態では、テーブル本体部１２をシートＳの背面に近接又は接触させる位置に配置して収納状態とする。このようにカム部１９０が支持フレーム１６２を嵌めることで、支持フレーム１６２は、テーブル本体に重い物品が置かれてもユーザの操作力が加わらなければ、その形状維持力によりガイド部２０４を乗り越える動作を行わずに固定状態を継続する。その一方で、ユーザから支持フレーム１６２がカム部１９０を乗り越える操作力を加えれば、支持フレーム１６２が弾性変形しつつ移動し上側での固定と下側での固定とを切り換える。その結果、折り畳みテーブル１０は、テーブル本体部１２の展開状態と収納状態とを段階的に切り換えることができる。
【０１０９】
一方、膨出部１９２は、基部１８８の左右方向中央部に設けられ、カム部１９０よりも大きな突出量で後方に突出するように形成される。シート側取付部材１６４は、この膨出部１９２により剛性が向上し、基部１８８の左右方向（面方向）の形状を良好に維持する。膨出部１９２は、後面及び側面（或いは凹部２０８）が交わる角部が全体的に丸角（円弧状）に形成されている。これにより、剛性がさらに向上する。
【０１１０】
また、膨出部１９２の左右の側面には、内側に窪む凹部２０８が設けられている。この凹部２０８は、締結孔１９８に対応する位置に設けられ、シート側取付部材１６４の取付状態で締結ボルトを臨む。このように凹部２０８を備えることで、膨出部１９２自体の剛性が向上して、結果的にシート側取付部材１６４の剛性がより向上する。なお、凹部２０８は、膨出部１９２の左右の側面に設けられるだけでなく、膨出部１９２の上下の側面又は膨出部１９２の後面（突出面）に設けられていてもよい。
【０１１１】
図１４に示すように、膨出部１９２の内部には、膨出部用リブ１９２ａが上下左右に形成され、膨出部１９２の剛性を向上している。また、シート側取付部材１６４の裏面側において、締結孔１９８の周囲には前方向に突出した締結孔用突部２１０が設けられている。締結孔用突部２１０は、締結孔１９８の周辺部を補強する。
【０１１２】
第２壁部１９６ｂにおいて一対の締結孔用突部２１０の下部には、前方に突出する突出部２１２が一対設けられている。一対の突出部２１２は、基部１８８の裏面から充分な突出量で突出し、各一対の締結孔１９８と並ぶように設けられる。各突出部２１２は、シートＳの背面に挿入されて、シート側取付部材１６４の取付位置（各締結孔１９８）を位置決めする。
【０１１３】
各突出部２１２は、正面視で、上下方向及び左右方向に短く延びる十字形状に形成されている。これにより、突出部２１２は、大きく突出しても剛性が高いものとなり、シートＳ内に良好に挿入される。なお、突出部２１２の形状は、特に限定されるものではなく、例えば、ボス形状としてピン状や筒状に形成されていてもよい。このようにボス形状であれば、突出部２１２のシートＳへ挿入が容易となり一層作業性が向上する。
【０１１４】
本実施形態に係る折り畳みテーブル１０は、基本的には以上のように形成される。以下、各構成に関する作用効果について説明する。先ずテーブル本体部１２に設けたワイヤフレーム４６と、このワイヤフレーム４６に関連する構成について述べていく。
【０１１５】
上述したように、折り畳みテーブル１０は、テーブル本体部１２の外周に沿ってワイヤフレーム４６が設けられることで、テーブル本体部１２の剛性が向上する。特に、ワイヤフレーム４６は、外力を受けやすいテーブル本体部１２の外周に存在することで、外力による外周側の変形や破損等を抑制すると共に、テーブル本体部１２の内側部分を充分に軽量化することができる。折り畳みテーブル１０は、軽量化により、操作性が良くなり使い勝手が一層向上する。さらに、折り畳みテーブル１０は、ワイヤフレーム４６がテーブル本体部１２の内部に設けられることで、テーブル本体部１２の展開時に意匠面となる上面を自由に（例えば、傾斜窪み部３６を有するように）設計することができる。よって、テーブル本体部１２をより使い易いものとすることができる。なお、ワイヤフレーム４６は、カバー１４に覆われるだけでなく、テーブル本体部１２の裏面で露出していてもよい。
【０１１６】
この場合、テーブル本体部１２は、ワイヤフレーム４６がテーブル本体部１２の側辺２４に設けられることにより、シートＳ側からの延出を支持する部分の剛性が向上する。そのため、テーブル本体部１２は、その面方向と直交する方向からかかる負荷に充分に耐えることができる。これに加えてワイヤフレーム４６は、側辺２４から前辺２０及び後辺２２に連続して延在することで、テーブル本体部１２の剛性を一層向上することができる。
【０１１７】
ワイヤフレーム４６は、テーブル本体部１２よりも硬い材質のもので構成すれば、折り畳みテーブル１０の小型化や軽量化をより促進することができる。このワイヤフレーム４６は、軸支部材４０に回転自在に支持されることで、テーブル本体部１２の回転軸として機能する。そのため、折り畳みテーブル１０は、回転軸を構成する部品を別途設ける必要がなくなり、部品点数の削減と共に、組立作業の作業性を向上することができる。
【０１１８】
また、折り畳みテーブル１０は、テーブル本体部１２に第１〜第６ボス部５０Ａ〜５０Ｆを備えることにより、別部材として構成されたワイヤフレーム４６を容易に位置決めすることができ、組立作業の作業性を一層向上させることができる。この場合、第１〜第６ボス部５０Ａ〜５０Ｆは、ワイヤフレーム４６の外側と内側で当接することにより、ワイヤフレーム４６を挟んで位置ずれを抑制して、組立作業の作業性をより一層向上させることができる。なお、ワイヤフレーム４６を位置決め保持する構成は、カバー１４を取り付けるための締結部に限らず、位置決め専用の凸部等によって構成してもよく、またカバー１４に設けてもよい。
【０１１９】
さらに、ワイヤフレーム４６の組み付け時には、リブ４８に対しワイヤフレーム４６を押し付けることで、ワイヤフレーム４６の形状に合うようにリブ４８を変形させる。よって、振動等によるテーブル本体部１２とワイヤフレーム４６との位置ずれを抑制することができる。リブ４８がテーブル本体部１２に一体成形されていれば、折り畳みテーブル１０の部品点数が少なくなり、さらに作業性を向上することができる。
【０１２０】
またさらに、折り畳みテーブル１０は、ワイヤフレーム４６を押さえる押さえ部材７４をテーブル本体部１２に備えることで、ワイヤフレーム４６の位置ずれを一層抑制することができる。折り畳みテーブル１０は、押さえ部材７４が第２ボス部５０Ｂに取り付けられることで押さえ部材７４の位置決めが容易となり、組立作業の作業性を向上する。また押さえ部材７４の端面８２ａがワイヤフレーム４６の形状に沿って形成されることで、押さえ部材７４を小型化することができる。
【０１２１】
次に、テーブル本体部１２に設けたカバー１４と、このカバー１４に関連する構成について述べていく。折り畳みテーブル１０は、テーブル本体部１２及びカバー１４に設けた固定機構６７により、テーブル本体部１２の剛性を向上することができる。特に、固定機構６７は、カップホルダ１６と折り畳み機構部１８の間に設けられるので、カップホルダ１６の設置に伴うテーブル本体部１２の剛性低下を抑制する。また、固定機構６７は、カバー１４の取付後にカバー１４の移動を抑制するので、組立作業の作業性を向上させることができる。さらに、固定機構６７が被取付部６８とフック部１２２とにより構成されることで、カバー１４とテーブル本体部１２との位置決め及び仮留めを容易に行うことができ、テーブル本体部１２に対するカバー１４の締結作業を効率的に実施させることができる。
【０１２２】
この場合、カバー１４は、一対の固定機構６７の間に凸部１１２を備えることで、カバー１４自体の剛性を向上することができる。また、凸部１１２は、折り畳みテーブル１０の収納状態で取付対象に接触することにより、取付対象からカップホルダ１６にかかる負荷を抑制することができる。また、テーブル本体部１２は、外周壁３２とリブ４８の間にカバー１４の嵌込壁９２を挿入可能な嵌込溝９４（隙間）を有することで、組立状態で、嵌込壁９２をテーブル本体部１２の外周壁３２とリブ４８の間に挟み込むことができる。その結果、テーブル本体部１２に対するカバー１４の動きを抑制して、組立作業の作業性をより向上させることができる。さらに、折り畳みテーブル１０は、テーブル本体部１２の第６ボス部５０Ｆがカバー１４及び折り畳み機構部１８を共締めする構成となっている。これにより、締結ネジ５６の数を減らして部品点数が削減されると共に、構造が簡単化して折り畳みテーブル１０の薄型化を促進することが可能となる。
【０１２３】
またさらに、部分被覆部１０２がカップホルダ１６の周辺部を覆うことで、カバー１４は、テーブル本体部１２のカップホルダ１６の形成箇所の剛性を向上する。そして、部分被覆部１０２の前部被覆部１２０がテーブル本体部１２の前辺２０で固定されることで、カバー１４を強固に固定することができ、テーブル本体部１２全体の剛性が向上する。一対の部分被覆部１０２は切り欠き部１２４を備えることで、折り畳み機構部１８のシート側取付部材１６４を、カバー１４の干渉を避けて切り欠き部１２４の内側に案内することができる。これにより、テーブル本体部１２の収納状態をコンパクト化することができる。
【０１２４】
次に、テーブル本体部１２に設けたカップホルダ１６と、このカップホルダ１６に関連する構成について述べていく。折り畳みテーブル１０は、カップホルダ１６がスリット１５４を備えることで、カップホルダ１６に大きな外力がかかった際に、スリット１５４によりカップホルダ１６が容易に変形しテーブル本体部１２から簡単に外れるように導くことができる。従って、カップホルダ１６やテーブル本体部１２（すなわち、折り畳みテーブル１０全体）の変形が抑制される。また、カップホルダ１６は、折り畳みテーブル１０の組立時等にも、スリット１５４により変形されてテーブル本体部１２にスムーズに取り付けられ、組立作業の作業性を大幅に向上することができる。
【０１２５】
この場合、スリット１５４が、回動近位側で一対のホルダ側凸部１５６の間に設けられることで、カップホルダ１６をより円滑に変形させて、折り畳みテーブル１０全体の変形を一層抑制することができる。カップホルダ１６は、スリット１５４の回転軸方向両側にホルダ側リブ１５２を備えることで、カップホルダ１６の回転軸に沿う方向のみにカップホルダ１６を変形させることができる。よって、テーブル本体部１２からのカップホルダ１６の離脱が一層容易となる。カップホルダ１６は、リブ４８がストッパ部１５０まで連続して設けられることで、カップホルダ１６自体の剛性を向上することができる。
【０１２６】
また、テーブル本体部１２が当接用リブ６６を有することで、テーブル本体部１２の剛性が向上する。また、カップホルダ１６のストッパ部１５０が展開状態で当接用リブ６６に接触することにより、テーブル本体部１２への負荷を抑制することができる。さらに、テーブル本体部１２の第３ボス部５０Ｃがカップホルダ１６とワイヤフレーム４６の間に設けられることで、ワイヤフレーム４６が位置ずれしてカップホルダ１６に干渉することを抑止することができる。
【０１２７】
最後に、折り畳み機構部１８と、折り畳み機構部１８に関連する構成について述べていく。折り畳みテーブル１０のシート側取付部材１６４は、シートＳに直接取り付けられる一対の第２壁部１９６ｂ（締結孔１９８）の間に膨出部１９２を備えることで、シート側取付部材１６４自体の剛性が高まる。特に、膨出部１９２の両側に位置する第２壁部１９６ｂの剛性が大幅に向上するので、シート側取付部材１６４は、テーブル本体部１２を安定的に支持することができる。また、膨出部１９２は、一対の第２壁部１９６ｂ間のスペースを活用して形成されるので、シート側取付部材１６４の大型化を抑制し、テーブル本体部１２の折り畳みを良好に実施させることができる。
【０１２８】
この場合、膨出部１９２が一対のカム部１９０の間に設けられることで、折り畳みテーブル１０は、一対のカム部１９０付近の剛性が向上する。なお、膨出部１９２が一対のカム部１９０よりも突出していれば、シート側取付部材１６４の剛性が一層向上する。よって、カム部１９０による支持フレーム１６２のガイド、及び支持フレーム１６２の姿勢の維持を効果的に実施することができる。
【０１２９】
また、シート側取付部材１６４は、膨出部１９２に凹部２０８を備えることにより、膨出部１９２の剛性がさらに高まると共に、第２壁部１９６ｂを充分に露出させて締結ボルトによるシート側取付部材１６４の締結を容易に実施させることができる。
【０１３０】
さらに、シート側取付部材１６４に突出部２１２を設けることにより、折り畳みテーブル１０は、シート側取付部材１６４をシートＳに取り付ける際に、突出部２１２をシートＳに挿入して位置決めすることができ、組立作業の作業性が向上する。またさらに、突出部２１２が締結孔１９８と並んで形成されることにより、突出部２１２をシートＳに挿入した際に、シートＳの締結位置に締結孔１９８をより精度良く位置決めすることができ、組立作業の作業性が一層向上する。
【０１３１】
上記において、本発明について好適な実施形態を挙げて説明したが、本発明は前記実施形態に限定されるものではなく、本発明の要旨を逸脱しない範囲において、種々の改変が可能なことは言うまでもない。
【符号の説明】
【０１３２】
１０…折り畳みテーブル              １２…テーブル本体部
１４…カバー                        １６…カップホルダ
１８…折り畳み機構部                ２８…板状壁部
３０…囲み部                        ３２…外周壁
３４…カップ用穴部                  ４０…軸支部材
４６…ワイヤフレーム                ４８…リブ
５０…ボス部                        ５０Ａ〜５０Ｆ…第１〜第６ボス部
６６…当接用リブ                    ６８…被取付部
７４…押さえ部材                    ８２…装着部
８２ａ…端面                        ８８…底部
９０…湾曲壁部                      ９２…嵌込壁
９４…嵌込溝                        １００…後側被覆部
１０２…部分被覆部                  １１２…凸部
１２０…前部被覆部                  １２２…フック部
１２２ａ…爪部                      １３０…ホルダ本体部
１３２…延在部                      １５０…ストッパ部
１５２…ホルダ側リブ                １５４…スリット
１６０…本体側取付部材              １６２…支持フレーム
１６４…シート側取付部材            １９０…カム部
１９６…内側壁部                    １９６ａ…第１壁部
１９６ｂ…第２壁部                  ２０８…凹部
２１０…締結孔用凸部                ２１２…突出部
Ｓ…シート
【図１】
2019081543.tif 000003
【図２】
2019081543.tif 000004
【図３】
2019081543.tif 000005
【図４】
2019081543.tif 000006
【図５】
2019081543.tif 000007
【図６】
2019081543.tif 000008
【図７】
2019081543.tif 000009
【図８】
2019081543.tif 000010
【図９】
2019081543.tif 000011
【図１０】
2019081543.tif 000012
【図１１】
2019081543.tif 000013
【図１２】
2019081543.tif 000014
【図１３】
2019081543.tif 000015
【図１４】
2019081543.tif 000016